(57)【要約】【課題】共通液室から複数の圧力室に液体が分配される構成において、噴射特性を良好にすることが可能な液体噴射ヘッド、及び、液体噴射装置を提供する。【解決手段】インクカートリッジ等のインク供給源からのインクが導入されるインク導入路と、複数の圧力室３６に供給するインクが導入される共通液室３２との間に両者に連通する中間液室３０が形成され、中間液室は、インク導入路に通じる導入口３１と、共通液室側に開口する噴出口４０と、を有し、噴出口は、圧力室列設方向に沿って形成されており、当該圧力室列設方向における噴出口の断面積は、同方向における共通液室の断面積よりも小さく設定された。【選択図】図３
2014061712.tif 000002
【特許請求の範囲】
【請求項１】
液体導入路、共通液室、個別供給路、及び圧力室を通ってノズルに至る一連の液体流路を有し、前記液体導入路を通じて液体供給源からの液体を前記共通液室に導入し、当該共通液室の液体を、前記個別供給路を通じて複数の圧力室に分配し、圧力発生手段の駆動により圧力室内の液体に圧力変動を生じさせて前記ノズルから液体を噴射する液体噴射ヘッドであって、
前記液体導入路と前記共通液室との間に両者に連通する中間液室が形成され、
前記中間液室は、前記液体導入路に通じる導入口と、前記共通液室側に開口する噴出口と、を有し、
前記噴出口は、前記圧力室列設方向に沿って形成されており、当該圧力室列設方向における前記噴出口の断面積は、同方向における前記共通液室の断面積よりも小さく設定されていることを特徴とする液体噴射ヘッド。
【請求項２】
前記共通液室の前記圧力室列設方向の端面と、前記噴出口の前記圧力室列設方向の端面と、が同一面上に揃っていることを特徴とする請求項１に記載の液体噴射ヘッド。
【請求項３】
前記中間液室と前記噴射口と前記共通液室は同一の流路基板に設けられており、前記流路基板の板厚方向における前記噴出口の寸法は、前記流路基板の板厚方向における前記共通液室の寸法よりも小さく設定されていることを特徴とする請求項１に記載の液体噴射ヘッド。
【請求項４】
請求項１から請求項３の何れか一項に記載の液体噴射ヘッドを有することを特徴とする液体噴射装置。
【発明の詳細な説明】
【技術分野】
【０００１】
本発明は、インクジェット式記録ヘッド等の液体噴射ヘッド、及び、これを備えた液体噴射装置に関するものであり、特に、液体導入路、共通液室、個別供給路、及び圧力室を通ってノズルに至る一連の液体流路を有する液体噴射ヘッド、及び、液体噴射装置に関するものである。
【背景技術】
【０００２】
液体噴射装置は液体を液滴として吐出可能な液体噴射ヘッドを備え、この液体噴射ヘッドから各種の液体を噴射させる装置である。この液体噴射装置の代表的なものとして、例えば、インクジェット式記録ヘッド（以下、記録ヘッドという）を備え、この記録ヘッドから液体状のインクをインク滴として噴射させて記録を行うインクジェット式記録装置（プリンター）等の画像記録装置を挙げることができる。また、近年においては、この画像記録装置に限らず、液晶パネル向けのカラーフィルター、有機ＥＬ素子、薄膜トランジスターの形成等にも液体噴射ヘッドが応用されている。
【０００３】
上記の液体噴射ヘッドの一種である記録ヘッドには、インクの種類（色など）毎に、複数のノズルからなるノズル群（ノズル列）が設けられており、各ノズルはそれぞれに対応する圧力室に連通している。また、記録ヘッドには、複数の圧力室に分配するためのインクが導入される共通液室（リザーバー又はマニホールドとも言う）が設けられている。この共通液室は、平面視で圧力室の列設方向に延びており、所定の幅（圧力室列設方向に直交する方向の幅）と深さを持った空部となっている。一般的な共通液室では、液体導入路との接続口である導入口が圧力室列設方向の中央部に位置付けられている。そして、インクカートリッジなどの液体供給源からのインクが液体導入路を通じて共通液室に導入され、この共通液室から個別供給路を通じて各圧力室に分配されるようになっている。そして、圧電素子などの圧力発生手段を駆動することにより圧力室内のインクに圧力変動を生じさせ、この圧力変動を利用してノズルからインクを噴射する（例えば、特許文献１参照）。
【０００４】
上記共通液室を有する記録ヘッドでは、インク流路内に気泡が侵入すると、この気泡によりインク噴射時の圧力変化が吸収されたりすることによって、ノズルから噴射されるインクの飛翔速度や量が低下する等の噴射不安定が生じる虞があるため、液体導入路の構造や共通液室の形状を工夫することにより、気泡の排出性が高められている。例えば、共通液室の平面形状に関し、圧力室列設方向の両端に向かう程、圧力室列設方向に直交する方向の幅が次第に狭くなるように両端側をテーパー形状にすることで、共通液室の両端部で気泡が滞留しないように構成されている。
【先行技術文献】
【特許文献】
【０００５】
【特許文献１】特開２００３−０６３０１０号公報
【発明の概要】
【発明が解決しようとする課題】
【０００６】
図６は従来の共通液室周辺の構成の一例を示す平面図である。従来の共通液室では、導入口５２から導入されたインクの流れが、圧力室列設方向の端部に向けて流線Ａ及びＢのようになる。このような従来の構成では以下のような問題があった。共通液室５１において、例えば、ある圧力室５３に通じる個別供給路５４が気泡Ｘにより塞がれている場合、この圧力室５３に対応するノズル５５におけるインクの噴射が不安定になる虞があるが、この気泡Ｘが導入口５２から共通液室５１の端部へ流れるインクの流線Ａに乗って他の圧力室の個別供給路まで移動した場合、当該圧力室に対応するノズルにおけるインクの噴射が不安定になってしまう。即ち、気泡の移動により噴射の不安定なノズルが伝播するという問題がある。また、導入口５２からより遠い位置、即ち、圧力室列設方向の端部にある圧力室では、導入口から流れてくる過程で生じる圧力損失により、導入口５２に近い圧力室と比べてインクの噴射が不安定になる虞があった。
【０００７】
本発明は、このような事情に鑑みてなされたものであり、その目的は、共通液室から複数の圧力室に液体が分配される構成において、噴射特性を良好にすることが可能な液体噴射ヘッド、及び、液体噴射装置を提供することにある。
【課題を解決するための手段】
【０００８】
本発明は、上記目的を達成するために提案されたものであり、液体導入路、共通液室、個別供給路、及び圧力室を通ってノズルに至る一連の液体流路を有し、前記液体導入路を通じて液体供給源からの液体を前記共通液室に導入し、当該共通液室の液体を、前記個別供給路を通じて複数の圧力室に分配し、圧力発生手段の駆動により圧力室内の液体に圧力変動を生じさせて前記ノズルから液体を噴射する液体噴射ヘッドであって、
前記液体導入路と前記共通液室との間に両者に連通する中間液室が形成され、
前記中間液室は、前記液体導入路に通じる導入口と、前記共通液室側に開口する噴出口と、を有し、
前記噴出口は、前記圧力室列設方向に沿って形成されており、当該圧力室列設方向における前記噴出口の断面積は、同方向における前記共通液室の断面積よりも小さく設定されていることを特徴とする。
【０００９】
本発明によれば、液体導入路と共通液室との間に中間液室が形成され、この中間液室が導入口と噴出口を有し、噴出口が圧力室列設方向に沿って形成されたので、中間液室側から噴出口を介して共通液室側に供給された液体は、中間液室を有さない従来の構成と比較して、各個別供給路に向けて圧力室列設方向に直交する方向（圧力室長手方向）に対してより平行に近い流れとなる。その結果、共通液室において圧力室列設方向に沿った液体の流れが生じ難くなり、共通液室内に気泡が侵入したとしても、当該気泡が液体の流れに乗って個別供給路間を移動することが抑制され、噴射が不安定なノズルが伝播することが防止される。また、各個別供給路に対してより均一な流速で液体が供給されるので、圧力室列設方向の端部に位置する圧力室に対応するノズルから噴射される液体の量や飛翔速度が、中央部のノズルの場合と比べて低下する不具合が防止される。したがって、本発明によれば、各ノズルにおける噴射特性を良好にすることが可能となる。
【００１０】
また、上記構成において、前記共通液室の前記圧力室列設方向の端面と、前記噴出口の前記圧力室列設方向の端面と、が同一面上に揃っている構成を採用することが望ましい。
【００１１】
さらに、上記各構成において、前記中間液室と前記噴射口と前記共通液室は同一の流路基板に設けられており、前記流路基板の板厚方向における前記噴出口の寸法は、前記流路基板の板厚方向における前記共通液室の寸法よりも小さく設定されていることが望ましい。
【００１２】
また、本発明の液体噴射装置は、上記各構成の液体噴射ヘッドの何れかを備えることを特徴とする。
【００１３】
本発明によれば、中間液室側から噴出口を介して共通液室側に供給された液体は、中間液室を有さない従来の構成と比較して、各個別供給路に向けて圧力室列設方向に直交する方向に対してより平行に近い流れとなる。その結果、共通液室において圧力室列設方向に沿った液体の流れが生じ難くなり、共通液室内に気泡が侵入したとしても、当該気泡が液体の流れに乗って個別供給路間を移動することが抑制され、噴射が不安定なノズルが伝播することが防止される。また、各個別供給路に対してより均一な流速で液体が供給されるので、圧力室列設方向の端部に位置する圧力室に対応するノズルから噴射される液体の量や飛翔速度が、中央部のノズルの場合と比べて低下する不具合が防止される。したがって、本発明によれば、各ノズルにおける噴射特性を良好にすることが可能となる。
【図面の簡単な説明】
【００１４】
【図１】プリンターの構成を説明する斜視図である。
【図２】記録ヘッドの要部断面図である。
【図３】共通液室周辺の構成を説明する図である。
【図４】第２の実施形態における構成を説明する断面図である。
【図５】第３の実施形態における構成を説明する断面図である。
【図６】従来の記録ヘッドの共通液室周辺の構成を説明する図である。
【発明を実施するための形態】
【００１５】
以下、本発明を実施するための形態を、添付図面を参照して説明する。なお、以下に述べる実施の形態では、本発明の好適な具体例として種々の限定がされているが、本発明の範囲は、以下の説明において特に本発明を限定する旨の記載がない限り、これらの態様に限られるものではない。また、以下においては、本発明の液体噴射装置として、インクジェット式記録装置（以下、プリンター）を例に挙げて説明する。
【００１６】
図１は、このプリンター１の基本構成を説明する斜視図である。この図１に示すように、プリンター１は、ガイド軸２に取り付けられたキャリッジ３を有し、その下面には記録ヘッド４（本発明の液体噴射ヘッドの一種）が取り付けられている。また、このキャリッジ３にはインクカートリッジ１０（液体供給源の一種）が着脱可能に保持される。そして、キャリッジ３は、キャリッジモーター５の回転軸に接合された駆動プーリー６と遊転プーリー７との間に掛け渡されたタイミングベルト８に接続されており、キャリッジモーター５の駆動によって記録用紙９の幅方向（主走査方向）に移動する。即ち、キャリッジモーター５、駆動プーリー６、遊転プーリー７、及びタイミングベルト８によりキャリッジ移動機構が構成される。
【００１７】
上記のインクカートリッジ１０は、インク（本発明の液体の一種）を貯留する貯留部材である。このインクは、インク溶媒中に色材を溶解或いは分散させたものであり、例えば、色材として顔料や染料が用いられ、インク溶媒として水が用いられる。そして、このインクカートリッジ１０がキャリッジ３に装着されると、記録ヘッド４のインク供給針（図示せず）がインクカートリッジ１０内に挿入される。このインク供給針は記録ヘッド４内部のインク流路（液体流路の一種）に連通されているため、インク供給針が挿入されると、インクカートリッジ１０内のインクが記録ヘッド４内に供給される状態となる。なお、インクカートリッジとしては、プリンター本体（筐体）側に配置されてインク供給チューブを通じて記録ヘッド４に供給するタイプを採用することもできる。
【００１８】
また、ガイド軸２の下方には、プラテン１１が設けられている。このプラテン１１は、記録用紙９を下方から支持する板状部材である。このプラテン１１にはスポンジ等の吸液部材１２が配設されている。また、この吸液部材１２よりも紙送り上流側には、ガイド軸２と平行に紙送りローラー１３が配置されている。この紙送りローラー１３は、記録用紙９の搬送時において、紙送りモーター１４（ステッピングモーター又はＤＣモーター）からの駆動力によって回転される。即ち、紙送りローラー１３及び紙送りモーター１４により紙送り機構が構成される。
【００１９】
キャリッジ３の移動範囲内であってプラテン１１よりも外側の位置には、ホームポジションが設定されている。記録ヘッド４は、待機状態においてホームポジションに位置付けられる。このホームポジションには、記録ヘッド４のノズル形成面を払拭するためのワイパー機構１５と、非記録状態においてノズル形成面を封止可能なキャッピング機構１６とがガイド軸２に沿って横並びに配設されている。
【００２０】
図２は記録ヘッド４の構成を説明する要部断面図である。例示した記録ヘッド４は、複数の圧電素子２０、固定板２１、及び、フレキシブルケーブル２２等をユニット化したアクチュエーターユニット２３と、このアクチュエーターユニット２３を収納可能なケース２４と、ケース２４の底面に接合される流路ユニット２５と、を備えている。
【００２１】
ケース２４は、内部に収納空部２６が形成された合成樹脂製のブロック状部材である。収納空部２６は、アクチュエーターユニット２３を収納するための空部であり、固定板２１を収納空部２６の内壁面に接着することでアクチュエーターユニット２３が収納空部２６内に収納固定されている。この収納状態において、圧電素子２０の自由端部の先端面は収納空部２６の底面側開口に臨み、流路ユニット２５の島部２８に接合されている。また、このケース２４には、上面側から流路ユニット２５の中間液室３０（後述）までの間を連通するインク導入路２９（液体導入路の一種）を、ケース２４の高さ方向を貫通させた状態で設けられている。このインク導入路２９の上流側は図示しないインク供給針に連通し、下流側は流路ユニット２５の中間液室３０に導入口３１を通じて連通している。そして、インクカートリッジ１０などの液体供給源からインク供給針を通じて導入されたインクは、中間液室３０を介して共通液室３２側に供給される。
【００２２】
アクチュエーターユニット２３の圧電素子２０は、数１０μｍ〜１００μｍ程度の幅に切り分けられた櫛歯状に形成されている。そして、各圧電素子２０は、固定板２１の固定板先端面（ケース２４への取り付け状態における流路ユニット２５側の端面）よりも自由端部を外側に突出させた所謂片持ち梁の状態で基端部を固定板２１に固定している。この圧電素子２０は、圧電体と内部電極とを交互に積層して構成された積層型であって、電界方向に直交する縦方向（素子長手方向）に伸縮可能なタイプの圧電素子である。従って、圧電素子２０は、充電により自由端部が振動子長手方向に収縮し、放電により自由端部が振動子長手方向に伸長する。また、フレキシブルケーブル２２は、各圧電素子２０の基端部に電気的に接続されている。
【００２３】
流路ユニット２５は、ノズル基板３３を流路基板３４の一方の表面に配置し、振動板３７をノズル基板３３とは反対側となる他方の表面に配置して接着等によって一体化することで構成されている。ノズル基板３３は、ドット形成密度に対応したピッチで複数のノズル３５を列状に開設したステンレス鋼製或いは有機プラスチックフィルム製の薄手のプレートである。本実施形態では、例えば１８０ｄｐｉのピッチで１８０個のノズル３５を開設し、これらのノズル３５によってノズル列（ノズル群の一種）を構成している。流路基板３４は、ノズル基板３３の各ノズル３５に対応させて圧力室３６となる空部を隔壁で区画した状態で複数形成されたシリコン単結晶基板からなる部材である。また、本実施形態における流路基板３４には、圧力室３６となる空部の他、圧力室毎に設けられた個別供給路３９、各圧力室３６にそれぞれの個別供給路３９を介して連通する共通液室３２、及び、インク導入路２９に連通する導入口３１と共通液室３２との間に設けられた中間液室３０となる空部がエッチングによって形成されている。なお、これらの圧力室３６、個別供給路３９、共通液室３２、及び、中間液室３０は、それぞれ異なる部材に形成される場合もある。
【００２４】
圧力室３６は、ノズル３５の列設方向に対して直交する方向に細長い空部であり、流路基板３４の上面（振動板３７が接合される側の面）から基板厚さ方向の途中までエッチング処理により形成されている。そして、圧力室３６の長手方向（圧力室列設方向と直交する方向）の一端部には板厚方向を貫通させてノズル連通口３８が設けられている。このノズル連通口３８は、流路基板３４の板厚方向を貫通させて形成されており、圧力室３６とノズル３５との間を連通する。また、個別供給路３９は、圧力室３６の長手方向他端と共通液室３２との間に形成された溝状の空部であり、その深さは圧力室３６の深さに揃えられる一方で、その流路幅は圧力室３６の幅よりも十分に狭くなっている。
【００２５】
振動板３７は、ステンレス等の支持板４２上にＰＰＳ（ポリフェニレンサルファイド）等の樹脂フィルムからなる弾性体膜４３をラミネート加工した二重構造であり、圧力室３６の一方の開口面を封止するダイヤフラム部と共通液室３２の一方の開口面を封止するコンプライアンス部とを備えている。そして、ダイヤフラム部は、圧力室３６に対応した部分の支持板４２を環状にエッチング加工することで作製され、環内に島部２８を形成している。また、コンプライアンス部は、共通液室３２に対応する部分の支持板４２をエッチング加工で除去して弾性体膜４３だけにすることで作製されている。
【００２６】
上記構成の記録ヘッド４では、圧電素子２０を振動子長手方向に伸長させることで、島部２８がノズル基板３３側に押圧される。この押圧によって、ダイヤフラム部を構成する弾性体膜４３が変形し、圧力室３６が収縮する。また、圧電素子２０を振動子長手方向に収縮させると、弾性体膜４３の弾性により圧力室３６が膨張する。そして、圧力室３６の膨張や収縮によって内部のインク圧力が変動するので、膨張や収縮を制御することにより、ノズル３５からインク滴（液滴の一種）を吐出させることができる。
【００２７】
次に、本発明に係る記録ヘッド４の特徴部分について説明する。
図３は、導入口３１からノズル３５に至るまでのインク流路の構成を説明する図であり、（ａ）は流路基板３４の要部平面図、（ｂ）は（ａ）におけるＡ−Ａ′線断面図である。なお、図３は、圧力室列設方向における中央部に配置された導入口３１から略右半分（圧力室列設方向における他端側の半分）の構成を図示しており、左半分（一端側の半分）の構成は右半分の構成と対称となっている。本発明に係る記録ヘッド４は、インク導入路２９との接続口である導入口３１と共通液室３２との間に、中間液室３０が設けられている点が特徴となっている。
【００２８】
まず、共通液室３２について説明する。本実施形態における共通液室３２は、流路基板３４を貫通する状態で形成された、圧力室列設方向に延びる平面視矩形の空部であり、個別供給路３９を通じて各圧力室３６と連通している。この共通液室３２の上面（振動板３７側の面）の開口部分は、流路基板３４に接合された振動板３７の弾性体膜４３によって封止され、この部分がコンプライアンス部となっている（図２参照）。この上面とは反対側の下面の開口部分は、流路基板３４に接合されたノズル基板３３により封止されている。即ち、ノズル基板３３は、共通液室３２の底部としても機能する。共通液室３３の圧力室列設方向における両端面（両側面）４５は、当該圧力室列設方向の両端部に配置されている個別供給路３９よりも僅かに外側に位置するように形成されている。これらの両端面４５は、圧力室列設方向に直交する方向（圧力室３６の長手方向）、即ち、個別供給路３９の流路の側壁に平行な面となっている。そして、共通液室３２の圧力室３６側の面には、一端で圧力室３６に通じる各個別供給路３９の他端が開口している。
【００２９】
中間液室３０は、共通液室３２と同様に流路基板３４を貫通する状態で形成された、圧力室列設方向に延びる平面視矩形の空部である。中間液室３０の上面の開口部分は、流路基板３４に接合された振動板３７の弾性体膜４３及び支持板４２によって封止されている（図２参照）。振動板３７における中間液室３０に対応する位置には、導入口３１が開設され、この導入口３１にケース２４のインク導入路２９が液密状態で接続される。なお、導入口３１は振動板３７に設けられているが、中間液室３０を区画する部分に開設されているので、中間液室３０が導入口３１を有すると言える。中間液室３０の下面の開口部分は、流路基板３４に接合されたノズル基板３３により封止される。この中間液室３０の圧力室列設方向の長さは、共通液室３２の当該方向の長さに揃えられている。このため、中間液室３０の圧力室列設方向の両端面４６は、共通液室３２の両端面４５と同一面上で揃っている。その一方で、圧力室列設方向に直交する方向の中間液室３０の幅は、共通液室３２の幅よりも十分に短くなっている。これにより、中間液室３０の容積は、共通液室３２の容積よりも小さくなっている。なお、中間液室３０に関し、流路基板３４を貫通する状態で形成されていなくても良く、流路基板３４の板厚方向の途中まで形成される構成を採用することも可能である。
【００３０】
中間液室３０と共通液室３２とは隔壁４７によって仕切られている。図３（ｂ）に示すように、この隔壁４７には、共通液室３２の一端部から他端部まで圧力室列設方向に沿ってスリット状に形成された噴出口４０が設けられている。この噴出口４０は、上面側（振動板３７側）から下面側に流路基板３４の板厚方向の途中までエッチング処理等によって切り欠かれることで作製されている。この噴出口４０の圧力室列設方向の両端面（両側面）４８は、共通液室３２の両端面４５及び中間液室３０の両端面４６と同一面上に揃えられている。また、噴出口４０の底面は、個別供給路３９の流路底面と同一面上に揃えられている。したがって、噴出口４０をエッチング処理によって形成する際には、圧力室３６や個別供給路３９と同時に加工することができる。この噴出口４０は、中間液室３０から共通液室３２に流れるインクに対して流路抵抗を付与する。そして、噴出口４０における圧力損失が、導入口３１から中間液室３０の圧力室列設方向における端部に至るまで（図３（ａ）における破線の矢印）の圧力損失よりも大きくなるように、噴出口４０の寸法（或いは断面積）が設定されている。
【００３１】
上記構成の記録ヘッド４において、インク供給針側から導入されてインク導入路２９を流下してきたインクは、導入口３１を通じて中間液室３０に流入した後、噴出口４０を介して共通液室３２側に供給される。ここで、上記のように噴出口４０における圧力損失が大きくなるように設定されているので、導入口３１から中間液室３０に流入したインクは、中間液室３０内において導入口３１からの距離に拘わらず圧力が概ね均一に高められた状態で噴出口４０から共通液室３２側に供給（噴射）される。これにより、噴出口４０から共通液室３２側に流入したインクは、中間液室３０を有さない従来の構成と比較して、図３（ａ）における実線の矢印で示すように各個別供給路３９に向けて圧力室列設方向に直交する方向（圧力室３６の長手方向）に対してより平行に近い流れとなる。その結果、共通液室３２において圧力室列設方向に沿ったインクの流れが生じ難くなり、これにより、共通液室３２内に気泡が侵入したとしても当該気泡がインクの流れに乗って個別供給路３９間を移動することが抑制され、気泡によって噴射が不安定となるノズル３５が伝播することが防止される。
【００３２】
また、各個別供給路３９に対してより均一な流速でインクが供給されるので、圧力室列設方向の端部に位置する圧力室３６に対応するノズル３５で噴射されるインクの量や飛翔速度等が、圧力列設方向中央部のノズル３５の場合と比べて低下する不具合が防止される。したがって、本発明によれば、各ノズルにおける噴射特性を良好にすることが可能となる。
【００３３】
さらに、中間液室３０では導入口３１からの距離に拘わらずインクの圧力を均一に近づけることができるので、導入口３１の位置が、中間液室３０における圧力室列設方向の中央部に限られず、導入口３１の配置の自由度、ひいてはインク導入路２９の配置自由度が高まる。
【００３４】
そして、本実施形態においては、共通液室３２の両端面４５が、圧力室列設方向に直交する方向、即ち、個別導入路３９の流路に平行であるので、従来の共通液室のように圧力室列設方向の両端部がテーパー形状となっている構成と比較して、共通液室３２における圧力室列設方向両端部のインクの流れを圧力室列設方向に直交する方向に対してより平行に近づけることができる。
【００３５】
次に、本発明の他の実施形態について説明する。
図４は、本発明の第２の実施形態の構成について説明する噴出口４０′における断面図である。本実施形態においては、導入口３１からの距離に応じて噴出口４０′のスリット幅を変えている点が、上記第１の実施形態と異なる。なお、その他の構成については上記第１の実施形態と同様であるため、その説明を省略する。同図に示すように、噴出口４０′は、導入口３１から比較的近い中央部分のスリット幅Ｄ１に対し、導入口３１から遠い端部側のスリット幅Ｄ２が大きくなるような形状に形成されている。これにより、噴出口４０′の圧力室列設方向端部の圧力損失が、噴出口４０′の圧力室列設方向中央部の圧力損失よりも小さくなる。このため、導入口４０′から遠い圧力室列設方向端部でのインクの供給圧力が、中央部と比べて低下することがより確実に抑制される。その結果、圧力室列設方向端部に位置する圧力室３６に対応するノズル３５から噴射されるインクの量や飛翔速度等の噴射特性が低下することがより確実に防止される。なお、図４では、噴出口４０′のスリット幅が２段階に異なる例を示したが、これには限られず、中央部から端部に向かうに連れてスリット幅が段階的に大きくなるように、３段以上で多段変化させるようにしても良い。
【００３６】
図５は、本発明の第３の実施形態の構成について説明する噴出口４０″における断面図である。本実施形態においては、噴出口４０″が圧力室列設方向に沿って形成された複数の開口部から成る点が上記第１の実施形態及び第２の実施形態と異なる。その他の構成については上記第１の実施形態と同様であるため、その説明を省略する。同図に示すように、各噴出口４０″は、矩形の開口から成り、各圧力室３６にそれぞれ対応する位置に設けられている。このように噴出口４０″を圧力室に対応させて複数設けることにより、個別に開口寸法を設定することができるので、上記第２の実施形態と比較してより適切な圧力損失に設定することが可能となる。勿論、各噴出口４０″の寸法を一律に揃える構成を採用することもできる。
【００３７】
なお、本発明は、複数の圧力室に供給するためのインクが導入される共通液室を有する構成であれば、上記各実施形態で例示した記録ヘッド４以外の構造の記録ヘッドにも適用することができる。例えば、所謂撓み振動型の圧電素子が各圧力室に対して個別に設けられるタイプの記録ヘッドや圧電振動子が電界によりせん断変形するタイプの記録ヘッドにも本発明を適用することができる。また、インクを噴射する記録ヘッドには限られず、他の液体噴射ヘッド、例えば、液晶ディスプレー等のカラーフィルターの製造に用いられる色材噴射ヘッド、有機ＥＬ（Electro Luminescence）ディスプレー、ＦＥＤ（面発光ディスプレー）等の電極形成に用いられる電極材噴射ヘッド、バイオチップ（生物化学素子）の製造に用いられる生体有機物噴射ヘッド等にも本発明を適用することができる。
【符号の説明】
【００３８】
１…プリンター，４…記録ヘッド，２０…圧電素子，２９…インク導入路，３０…中間液室，３１…導入口，３２…共通液室，３５…ノズル，３６…圧力室，３９…個別供給路，４０…噴出口，４５…共通液室端面，４６…中間液室端面，４７…隔壁，４８…噴出口両端面
【図１】
2014061712.tif 000003
【図２】
2014061712.tif 000004
【図３】
2014061712.tif 000005
【図４】
2014061712.tif 000006
【図５】
2014061712.tif 000007
【図６】
2014061712.tif 000008